(57)【要約】      （修正有）【課題】動作体同士を近付けたときの磁力を利用して両動作体が動作可能な動作玩具を提供する。【解決手段】磁性体が固定して設けられた第１動作体１０と、第１磁性体との間に作用する磁力によって第１位置から第２位置まで動作する第２磁性体が設けられた第２動作体５０とを備え、第１動作体１０には、第１動作部品等を含む第１動作機構と、外部入力によって操作される第１入力部品を含み操作時に１動作機構を介して第１動作部品を動作させる第１入力機構とが設けられ、第２動作体５０には、第２動作部品５６を含む第２動作機構Ｆ等と、第２磁性体が取り付けられた操作部品である第２入力部品を含み操作時に第２動作機構Ｆ等を介して第２動作部品５６を動作させる第２入力機構Ｊと、第２磁性体が第１磁性体に磁気着された際に第１入力部品を操作する外部操作部とが設けられている。【選択図】図３
2020137548.tif 000002
【特許請求の範囲】
【請求項１】
第１磁性体が固定して設けられた第１動作体と、前記第１磁性体との間に作用する磁力によって第１位置から第２位置まで動作する第２磁性体が設けられた第２動作体とを備え、
前記第１動作体には、第１動作部品を含む第１動作機構と、外部入力によって操作される第１入力部品を含み操作時に前記第１動作機構を介して前記第１動作部品を動作させる第１入力機構とが設けられ、
前記第２動作体には、第２動作部品を含む第２動作機構と、前記第２磁性体が取り付けられた第２入力部品を含み操作時に前記第２動作機構を介して前記第２動作部品を動作させる第２入力機構と、前記第２磁性体が前記第１磁性体に磁気着された際に前記第１入力部品を操作する外部操作部とが設けられている、
ことを特徴とする動作玩具。
【請求項２】
前記第１動作体は前記第２動作体の上に載置可能に構成され、前記第１動作体を前記第２動作体に載置したときに前記第２磁性体が引き上がり、前記外部操作部材が前記第１入力部品を押圧して操作することを特徴とする請求項１に記載の動作玩具。
【請求項３】
前記第２動作体には前記第１動作体を載置する載置台が設けられ。前記載置台の一部は傾動可能に構成され、前記載置台を傾動させることで前記第２磁性体と前記第１磁性体との磁気着を解除することを特徴とする請求項２に記載の動作玩具。
【請求項４】
前記１動作体は前記第１動作部品の動作によって可逆的に形態が変化するように構成されていることを特徴とする請求項１〜請求項３のいずれか１項に記載の動作玩具。
【請求項５】
前記２動作体は前記第２動作部品の動作によって可逆的に形態が変化するように構成されていることを特徴とする請求項１〜請求項４のいずれか１項に記載の動作玩具。
【発明の詳細な説明】
【技術分野】
【０００１】
本発明は動作玩具に関するものである。
【背景技術】
【０００２】
従来、動作玩具として、磁石が設けられた移動体と、同じく磁石が設けられた胴体とを備え、移動体を胴体に近付けることで、磁石間に働く磁力によって胴体側のロック機構によるロックを解除して胴体に所定の動作をさせる玩具が知られている(例えば、特許文献１参照）。
【先行技術文献】
【特許文献】
【０００３】
【特許文献１】特表２０１８−５１５２２３号公報
【発明の概要】
【発明が解決しようとする課題】
【０００４】
しかしながら、上記動作玩具では、移動体を胴体に近付けると、胴体側は動作するが、移動体側には何らの動作部品が設けられていないため、磁石間に働く磁力を利用して、移動体及び胴体の双方を動作させることができなかった。
【０００５】
本発明は、かかる問題点に鑑みなされたものであり、動作体同士を近付けたときの磁力を利用して両動作体が動作可能な動作玩具を提供することを目的としている。
【課題を解決するための手段】
【０００６】
第1の手段は、
第１磁性体が固定して設けられた第１動作体と、前記第１磁性体との間に作用する磁力によって第１位置から第２位置まで動作する第２磁性体が設けられた第２動作体とを備え、
前記第１動作体には、第１動作部品を含む第１動作機構と、外部入力によって操作される第１入力部品を含み操作時に前記第１動作機構を介して前記第１動作部品を動作させる第１入力機構とが設けられ、
前記第２動作体には、第２動作部品を含む第２動作機構と、前記第２磁性体が取り付けられた第２入力部品を含み操作時に前記第２動作機構を介して前記第２動作部品を動作させる第２入力機構と、前記第２磁性体が前記第１磁性体に磁気着された際に前記第１入力部品を操作する外部操作部とが設けられている、
ことを特徴とする。
【０００７】
第２の手段は、第１の手段であって、前記第１動作体は前記第２動作体の上に載置可能に構成され、前記第１動作体を前記第２動作体に載置したときに前記第２磁性体が引き上がり、前記外部操作部材が前記第１入力部品を押圧して操作することを特徴とする。
【０００８】
第３の手段は、第２の手段であって、前記第２動作体には前記第１動作体を載置する載置台が設けられ。前記載置台の一部は傾動可能に構成され、前記載置台を傾動させることで前記第２磁性体と前記第１磁性体との磁気着を解除することを特徴とする。
【０００９】
第４の手段は、第１の手段〜第３の手段のいずれか一の手段であって、前記１動作体は前記第１動作部品の動作によって可逆的に形態が変化するように構成されていることを特徴とする。
【００１０】
第５の手段は、第１の手段〜第４の手段のいずれか一の手段であって、前記２動作体は前記第２動作部品の動作によって可逆的に形態が変化するように構成されていることを特徴とする。
【発明の効果】
【００１１】
第１の手段によれば、第１動作体の第１磁性体と第２動作体の第２磁性体とが磁気着されたときに、第２磁性体と共に第２入力部品が操作されて第２動作機構を介して第２動作部品が動作し、一方、第２動作体の外部操作部の押圧によって第１動作体の第１入力部品が操作されるので、意外性があり、面白みのある動作玩具が実現できる。
【００１２】
第２の手段によれば、第２動作体に第１動作体を載置したときに第１動作体及び第２動作体の双方が動作するので、興趣性の高い動作玩具が実現できる。
【００１３】
第３の手段によれば、載置台の傾動によって、直接に第１動作体を触ることなく、第２磁性体と第１磁性体との磁気着を解除するとともに、第１動作体を磁気着しない位置に導くことができる。
【００１４】
第４の手段によれば、第１動作体の第１動作部品が可逆的に変化するので、何度でもその変化を楽しむことができる。
【００１５】
第５の手段によれば、第２動作体の第２動作部品が可逆的に変化するので、何度でもその変化を楽しむことができる。
【図面の簡単な説明】
【００１６】
【図１】第１実施形態の動作玩具の第１状態を示した前方斜視図である。
【図２】動作玩具のうちの大型車両の第１状態を示した後方斜視図である。
【図３】動作玩具の第２状態を示した前方斜視図である。
【図４】動作玩具のうちの小型車両の第１状態を示した側方斜視図である。
【図５】小型車両の第２状態を示した側方斜視図である。
【図６】小型車両の動作部品の第１状態を示した側面図である。
【図７】小型車両の動作部品の第２状態を示した側面図である。
【図８】小型車両の操作機構及び回動部品を示した側面図である。
【図９】大型車両の昇降機構の籠を示した側方斜視図である。
【図１０】籠の係止構造を示した前方斜視図である。
【図１１】大型車両の一方の起倒機構を示した背面図である。
【図１２】大型車両の出没機構を示した側方斜視図である。
【図１３】大型車両の開閉機構を示した側方斜視図である。
【図１４】大型車両の傾動機構を示した側方斜視図である。
【図１５】大型車両の操作機構を示した後方斜視図である。
【図１６】動作玩具の操作機構の動作を示した側面図である。
【図１７】第２実施形態の動作玩具における大型車両の第１状態を示した斜視図である。
【図１８】大型車両の第２状態を示した斜視図である。
【図１９】回転テーブル下の構造を示した平面図である。
【図２０】大型車両の磁性体周りの構造を示した斜視図である。
【図２１】係止レバーを示した下方斜視図である。
【発明を実施するための形態】
【００１７】
以下、実施形態の動作玩具を図面に基づいて説明する。
Ａ．第１実施形態
《動作玩具１００の全体構成》
図１は、実施形態の動作玩具の第１状態（変形前状態）を示す前方斜視図、図２は、大型車両の第１状態を示す後方斜視図、図３は、動作玩具の第２状態（変形後状態）を示す前方斜視図である。
実施形態の動作玩具１００は、小型車両１０と、小型車両１０を搭載可能な大型車両５０とを備えている。
小型車両１０はハッチバック型の車両を模して形成され、大型車両５０はレスキュー車を模して形成されている。
大型車両５０には後扉５１が設けられており、この後扉５１は下端が大型車両５０の本体にヒンジ結合されている。そして、この後扉５１を開くと、その後扉５１の先端が接地してその裏面がスロープを構成する。このスロープを使って小型車両１０を手押ししながら大型車両５０内に導き、後扉５１を閉める。
この状態で、大型車両５０を手押しすれば、小型車両１０を所望の位置まで運搬することができる。
また、大型車両５０には昇降機構Ｅが設けられており、大型車両５０内に導かれた小型車両１０は昇降機構Ｅの籠５４の床上に載る。この状態で、遊戯者が大型車両５０の左側後部のボタン５２を押すと、籠５４が上昇して大型車両５０から突出し、籠５４の前方開口から小型車両１０が排出される。そして、排出された小型車両１０は載置台５５の上に載って止まる。すると、大型車両５０の左右の起倒部品（サイド部品）５６，５６が倒れるとともに、大型車両５０の前方に出没部品（尖頭部品）５７が突出する。突出した出没部品５７の上面はスロープ６０ｃを構成する。一方、載置台５５に載った小型車両１０側では、図４及び図５に示すように、第１反転部品１２及び第２反転部品１３が反転し、左右の起倒部品１４、１４が倒れ、変向部品１５が向きを変更する。
次に、大型車両５０の前後方向中央部左側のボタン５８を押すと、載置台５５のすぐ前方に位置する左右の開閉部品（カバー）５９，５９が開かれ、その下側のスロープ６０ｂが露出するとともに、載置台５５の枠体５５ａが傾動してスロープ６０ａとなる。これによって、載置台５５に載っていた小型車両１０がスロープ６０ａ、６０ｂ及び６０ｃをこの順に下って大型車両５０の前方に発射される。
なお、昇降機構Ｅを使用せずに、直接、小型車両１０を籠５４の天井上に載せたり載置台５５上に載せたりして、小型車両１０を発射させることもできる。
【００１８】
《細部構成》
（小型車両１０）
１．小型車両１０の全体構成
図４は、小型車両１０の第１状態を示した側方斜視図、図５は、小型車両１０の第２状態を示した側方斜視図である。
小型車両１０は、車輪１１を複数有し、手押しによって走行させることができる。小型車両１０は、図４の状態（第１状態）と図５の状態（第２状態）との間で変形させることができる。小型車両１０は、変形部品として、フロントガラス及び前側ルーフの幅方向中央部を構成する第１反転部品１２と、ボンネットの幅方向中央部を構成する第２反転部品１３と、サイド部品を構成する左右の起倒部品１４，１４と、リア部品を構成する変向部品１５とを備えている。
【００１９】
２．反転機構Ａ
反転機構Ａは、第１反転部品１２、第２反転部品１３及び係止部品１７（図６及び図７参照）を含んで構成され、第１反転部品１２及び第２反転部品１３を上下反転させる。
【００２０】
第１反転部品１２は、図６及び図７に示すように、軸１２ａを中心に回動可能に構成されている。第１反転部品１２の軸１２ａにはトーションばね（図示せず）が巻回され、トーションばねの一端は第１反転部品１２に掛けられ、トーションばねの他端は小型車両１０の固定部に掛けられている。第１反転部品１２は、第１状態では、トーションばねの付勢力に抗して係止部品１７の係止爪１６によって係止され、第１状態を保持する。そして、係止爪１６による係止が解除されたときには、第１反転部品１２は、トーションばねの付勢力によって第２状態まで動作する。第１反転部品１２を第２状態から第１状態に戻すには、遊戯者が手で戻す。
【００２１】
ここで、係止爪１６は係止部品１７の先端に形成されている。係止部品１７は、軸１７ａを中心に回動可能に構成されている。係止部品１７の軸１７ａにはトーションばね（図示せず）が巻回され、トーションばねの一端は係止部品１７に掛けられ、トーションばねの他端は小型車両１０の固定部に掛けられている。このトーションばねは、係止爪１６が第１反転部品１２を係止する方向に係止部品１７を付勢している。
また、係止部品１７の基端部には、図８に示すように、前方に向けて張り出す突出部１７ｂが形成され、この突出部１７ｂで後述の入力機構Ｄの操作部品２０に係合している。そして、係止部品１７は、操作部品２０が一方向に動作したときにトーションばねの付勢力に抗して係止爪１６による第１反転部品１２の係止を解除する方向に動作する。
【００２２】
第２反転部品１３は、軸１３ａを中心に回動可能に構成されている。第２反転部品１３の軸１３ａにはトーションばね（図示せず）が巻回され、トーションばねの一端は第２反転部品１３に掛けられ、トーションばねの他端は小型車両１０の固定部に掛けられている。この第２反転部品１３は、第１状態では、トーションばねの付勢力に抗して第１反転部品１２によって係止され、第１状態を保持する。そして、第１反転部品１２による係止が解除されたときには、第２反転部品１３は、トーションばねの付勢力によって第２状態まで動作する。なお、第２反転部品１２を第２状態から第１状態に戻すには、遊戯者が手で戻す。
【００２３】
３．起倒機構Ｂ
起倒機構Ｂは、左右の起倒部品１４，１４を含んで構成され、この左右の起倒部品１４，１４を起倒させる。
各起倒部品１４は、内側下端部で小型車両１０の本体にヒンジ結合されている。ヒンジの軸にはトーションばね（図示せず）が巻回され、トーションばねの一端部が起倒部品１４に掛けられ、他端が小型車両１０の固定部に掛けられている。そして、各起倒部品１４は、このトーションばねの付勢力によって倒れる方向に付勢されている。
なお、起倒部品１４を起立状態に係止するための係止爪２３が後述の入力機構Ｄの入力部品２０の左右に設けられており、入力部品２０の動作に伴って各係止爪２３による各起倒部品１４の係止が解除されたときに各起倒部品１４はトーションばねの付勢力によって倒れた状態となる。起倒部品１４を第２状態から第１状態に戻すには、遊戯者が手で戻す。
【００２４】
４．変向機構Ｃ
変向機構Ｃは、変向部品１５を含んで構成され、変向部品１５の向きを変更させる。
変向部品１５は、軸１５ａを中心に回動可能に構成されている。変向部品１５の軸１５ａにはトーションばね（図示せず）が巻回され、トーションばねの一端は変向部品１５に掛けられ、トーションばねの他端は小型車両１０の固定部に掛けられている。この変向部品１５は、第１状態では、起立した起倒部品１４によって係止されて第１状態を保持する。そして、この変向部品１５は、起倒部品１４が倒れる際に起倒部品１４による係止が解除されて、トーションばねの付勢力によって向きを変更して第２状態となる。なお、変向部品１５を第２状態から第１状態に戻すには、遊戯者が手で戻す。
【００２５】
５．入力機構Ｄ
入力機構Ｄは、入力部品２０を含んで構成され、反転機構Ａ、起倒機構Ｂ及び変向機構Ｃを作動させる。
入力部品２０は、軸２０ａを中心に回動可能に構成されている。入力部品２０の軸２０ａにはトーションばね（図示せず）が巻回され、トーションばねの一端は入力部品２０に掛けられ、トーションばねの他端は小型車両１０の固定部に掛けられている。図８等に示すように、入力部品２０には、先端部に下方に向けて突出する突出部２６が形成されている。突出部２６は、小型車両１０の本体底面に形成された開口２７から下方に突出している。なお、小型車両１０の本体底面には、後述の磁性体８０に対応する位置に当該磁性体８０との間に磁力作用を起こさせる磁性体２８が設けられている。
【００２６】
（大型車両５０）
大型車両５０は、図１に示すように、車輪６１を複数有し、手押しによって床面上を走行させることができる。また、この大型車両５０は、小型車両１０を搭載したり、発射させたりすることができる。
さらに、大型車両５０は、図１の状態（第１状態）と図３の状態（第２状態）とで変形可能に構成されている。すなわち、大型車両５０は、搭載した小型車両１０を上昇可能な昇降機構（エレベータ）Ｅの籠５４と、サイドパネルを構成する左右の起倒部品５６，５６と、大型車両５０の前端から出没する出没部品５７と、スロープ６０ｂを被覆する左右の開閉部品５９，５９とを備えている。
【００２７】
１．昇降機構Ｅ
昇降機構Ｅは、籠５４を含んで構成され、籠５４を昇降させる。なお、籠５４に代えて単に小型車両１０を載置する台を用いてもよい。
図９には昇降機構Ｅの籠５４が示されている。
昇降機構Ｅの籠５４は略直方体となっており、前後に貫通する貫通穴を有している。この籠５４の後部開口は小型車両１０の入り口、前部開口は小型車両１０の出口を構成している。この籠５４は、籠５４の両側に位置する支持板（図示せず）に対して上下動可能に取り付けられている。また、籠５４の上面はスロープを構成している。そして、第１状態で、このスロープに小型車両１０を載せると、小型車両１０はスロープを下って載置台５５に載る。
籠５４の左右のそれぞれには、下方に向けて突出する２つの突片６５，６５が前後方向に所定の間隔で設けられている。各突片６５の外側には、スリットが形成された円筒状のばね掛け６６が設けられている。図１０に示すように、ばね掛け６６の天板６６ａを貫通するようにガイド棒６７ａが設けられている。そして、ばね掛け６６には、ガイド棒６７ａに巻回されたコイルばね６７ｂの上端部が挿入されている。各コイルばね６７ｂの下端部は大型車両５０の固定部に支持されている。これによって、籠５４は、コイルばね６７ｂの付勢力によって、上方に向けて付勢されている。籠５４を第２状態から第１状態に戻すには、遊戯者が手で戻す。
なお、籠５４の左側後部のばね掛け６６には後方に張り出す被係止部６６ｂが形成されている。
【００２８】
図１０に示すように、大型車両５０の左側後部には、上下方向に延在する軸６８ａを中心に回動可能な係止レバー６８が設けられている。係止レバー６８の一端側の第１アームの先端には係止爪６８ｂが形成されている。また、第１アームの外面には円柱状のばね掛け６８ｃが形成されている。ばね掛け６８ｃにはコイルばね６９の一端が掛けられ、係止レバー６８は、係止爪６８ｂが被係止部６６ｂに係止される方向に付勢されている。係止レバー６８の他端側の第２アームにはボタン５２の押圧片５２ａが当接している。
【００２９】
ここで、係止爪６８ｂは、遊戯者が籠５４を手で下降させるときに、被係止部６６ｂとの摺接によって、コイルばね６９の付勢力に抗して被係止部６６ｂの移動路から退く方向に回動する。そして、被係止部６６ｂが係止爪６８ｂよりも下方位置に来たときに、コイルばね６９の付勢力によって被係止部６６ｂの移動路内に突入する。これによって、係止爪６８ｂによって被係止部６６ｂが係止され、籠５４は下降位置に保持される。一方、ボタン５２を押すと、押圧片５２ａが係止レバー６８の第２アームを押圧し、係止爪６８ｂによる被係止部６６ｂの係止が解除され、籠５４はコイルばね６７ｂの付勢力によって上昇する。
【００３０】
２．起倒機構Ｆ
起倒機構Ｆは、左右の起倒部品５６，５６を含んで構成され、その左右の起倒部品５６，５６を起倒させる。
各起倒部品５６は、内側下端部で大型車両５０の本体にヒンジ結合されている。ヒンジの軸にはトーションばね（図示せず）が巻回され、トーションばねの一端部が起倒部品５６に掛けられ、他端が大型車両５０の固定部に掛けられている。このトーションばねの付勢力により、起倒部品５６は倒れる方向に付勢されている。
また、図１１に示すように、各起倒部品５６の内側には係止レバー９３が設けられている。係止レバー９３は軸９３ａを中心に回動可能に構成されている。係止レバー９３の一端側の第１アームの先端には係止爪９３ｂが形成され、他端側の第２アームにはばね掛け９３ｃが形成されている。そして、ばね掛け９３ｃに掛けられたコイルばね９４の付勢力によって、係止爪９３ｂが起倒部品５６の被係止部５６ａを係止する方向に付勢されている。なお、第２アームの先端部は後述の磁性体ホルダ７７の突出片７７ａ（図１５参照）に係合している。なお、起倒部品５６を第２状態から第１状態に戻すには、遊戯者が手で戻す。
【００３１】
３．出没機構Ｇ
出没機構Ｇは、前後方向に動作する出没部品５７を備え、出没部品５７を大型車両５０の前端から出没させる。
大型車両５０の前端には前扉７０が設けられている。前扉７０（図１及び図２参照）はヒンジ（図示せず）によって大型車両５０の本体に取り付けられており、開閉できるように構成されている。この前扉７０は、例えばトーションばねの付勢力によって常態では閉じており、出没部品５７が突出する際にトーションばねの付勢力に抗して開く。
前扉７０の裏側には出没部品５７が前後方向に動作可能に設けられている。図１２に示すように、出没部品５７は前半部分が４角錐状に形成され、後半部が角柱状に形成されている。この出没部品５７はコイルばね５７ａによって前方に向けて付勢されている。
出没部品５７の後方にはＬ字状の係止レバー７１が設けられている。係止レバー７１は角部の軸７１ａを中心に回動可能に構成されている。また、係止レバー７１の一端側の第１アームには係止爪７１ｂが形成され、この係止爪７１ｂが出没部品５７の後端部に係合することによって、出没部品５７は後退した状態に保持される。一方、係止レバー７１の他端側の第２アームの外面には円柱状のばね掛け７１ｃが形成されている。このばね掛け７１ｃにはコイルばね７１ｄの一端が掛けられ、係止レバー７１は、係止爪７１ｂが出没部品５７の後端部に係合する方向に付勢されている。
また、係止レバー７１の上方には、く字状の解除レバー７２が設けられている。解除レバー７２は角部の軸７２ａを中心に回動可能に構成されている。解除レバー７２の一端側の第１アームの内面は、上記係止レバー７１の第２アームの内面に当接している。一方、解除レバー７２の他端側の第２アームの先端の突起７２ｂは後述の磁性体ホルダ７７の突出部７７ｂに係合し、磁性体ホルダ７７が上昇したときに解除レバー７２を介して係止レバー７１が回動して、係止レバー７１による出没部品５７の係止が解除される。これにより、出没部品５７はコイルばね５７ａの付勢力によって前方に突出する。なお、出没部品５７を第２状態から第１状態に戻すには、遊戯者が手で戻す。
【００３２】
４．開閉機構Ｈ
開閉機構Ｈは、左右の開閉部品５９，５９を含んで構成され、左右の開閉機構５９，５９を開閉させるものである。
各開閉部品５９は、前後方向に延在する軸５９ａ（図３参照）を中心に回動可能に構成されている。各開閉部品５９は、閉じたときにスロープ６０ｂを覆い隠し、開いたときにはスロープ６０ｂを露出させる。
図１３に示すように、左右の開閉部品５９，５９の近くには係止板７３が設けられている。係止板７３は、幅方向に延在する軸７３ａを中心に回動可能に構成されている。係止板７３の上には、左右の開閉部品５９，５９に対応して左右の係止爪７４，７４が形成されている。係止板７３の軸７３ａにはトーションばね（図示せず）が巻回され、トーションばねの一端は係止板７３に掛けられ、トーションばねの他端は大型車両５０の固定部に掛けられている。そして、係止板７３は、左右の係止爪７４，７４が左右の開閉部品５９，５９の被係止部（図示せず）に係合する方向に付勢されている。なお、係止板７３には入力部７３ｂが形成されている。
係止板７３の直ぐ後には、ボタン５８が付設されたスライド部品７５が設けられている。スライド部品７５は上下方向に動作可能に構成されている。スライド部品７５の前端には上記係止板７３の入力部７３ｂに当接する当接部７５ａが設けられている。そして、ボタン５８が押されてスライド部品７５が下降したときに当接部７５ａが入力部７３ｂを押圧して係止板７３を係止解除の方向に回動させる。これによって、左右の係止爪７４，７４による左右の開閉部品５９，５９の係止が解除され、左右の開閉部品５９，５９がトーションばねの付勢力によって開く。
【００３３】
５．傾動機構Ｉ
傾動機構Ｉは、載置台５５の枠体５５ａを含んで構成され、枠体５５ａがスロープ６０ａを構成するように傾動させる。枠体５５ａは小型車両１０の車輪１１が載る部分である。
図１４に示すように、枠体５５ａは、幅方向に延在する軸７６を中心に回動可能に構成されている。枠体５５ａは常態では重力によって上面が水平位置に保持されている。
枠体５５ａの下側には押上げ部材７８，７８が左右に設けられている。左右の押上げ部材７８，７８は１つの軸７８ａに固定され、一体的に回動動作する。左側の押上げ部材７８の基端部には突起７８ｂが付設され、この突起７８ｂは、スライド部品７５の後端の突起７５ｂに係合している。そして、ボタン５８が押されてスライド部品７５が下降したときに突起７５ｂが突起７８ｂを押圧して枠体５５ａを傾動させる。
【００３４】
６．入力機構Ｊ
入力機構Ｊは、磁性体８０を含んで構成されている。
図１５に示すように、磁性体８０は磁性体ホルダ７７に保持されている。磁性体ホルダ７７は上下動可能に構成されている。
磁性体ホルダ７７は直方体状に形成され、前面には上記解除レバー７２の突起７２ｂに係合する突出部７７ｂが形成されている（図１２参照）。また、磁性体ホルダ７７の左右には突出片７７ａが１つずつ形成されている。突出部７７ｂ及び突出片７７ａが形成された磁性体ホルダ７７は、大型車両５０の入力部品を構成するとともに、小型車両１０の入力部品２０を操作するための外部操作部を構成している。
【００３５】
（動作）
次に、実施形態の動作玩具１００の動作を説明する。
図１６に示すように、載置台５５の上に小型車両１０が載ると、大型車両５０の磁性体８０が小型車両１０の磁性体２８に引きつけられ、磁性体ホルダ７７の突起７７ｄが小型車両１０の入力部品２０の突出部２６を押し上げる。
すると、大型車両５０側では、突出片７７ａが係止レバー９３をコイルばね９４の付勢力に抗して回動させ、係止爪９３ｂが起倒部品５６の被係止部５６ａから外れる。これにより、起倒部品５６が倒れる。また、突出部７７ｂが解除レバー７２を回動させ、これにより係止レバー７１も回動して係止爪７１ｂによる出没部材５７の係止が解除され、コイルばね５７ａの付勢力によって出没部材５７が前方に突出する。
一方、小型車両１０側では、入力部品２０の突出部２６の押上げによって、係止爪２３による起倒部品１４の係止が解除されて起倒部品１４が倒れる。これにより、変向部品１５が回動して図７の状態となる。また、係止部品１７が回動して、係止爪１６による第１反転部品１２の係止が解除され、第１反転部品１２及び第２反転部品１３が図７の状態となる。
【００３６】
次に、大型車両５０のボタン５８を押すことにより、スライド部材７５が降下し、当接部７５ａが入力部７３ｂを押すことにより係止板７３が回動し、左右の係止爪７４，７４による左右の開閉部品５９，５９の係止が解除されて、左右の開閉部品５９，５９が開く。同時に、スライド部材７５の降下によって、左右の押上げ部材７８，７８が回動して枠体５５ａが傾動する。これによって、小型車両１０がスロープ６０ａ，６０ｂ，６０ｃを下って外部に発射される。
【００３７】
Ｂ．第２実施形態
図１７は、第２実施形態の動作玩具における大型車両の第１状態を示し、図１８は、第２実施形態の大型車両の第２状態を示している。小型車両の方は例えば第１実施形態と同じ物が使用されるので図示及びその説明は省略する。
【００３８】
大型車両２００は、ドリル付きの車両となっていて、小型車両を回転テーブル（載置台）２０１が第１回転位置（図１７）にあるときに小型車両を載置しても、小型車両及び大型車両２００は共に動作せず、ダイヤル２０２を手指で回して回転テーブル２０１を第２回転位置（図１８）とすると、小型車両及び大型車両２００は共に動作する。大型車両２００の動作としては、ロックが外れて先端からドリル２０３ａがばね（図示せず）の付勢力で突出する。それと同時に、ドリル２０３ａを被覆していた前扉２０３ｂのロックが外れ、前扉２０３ｂがトーションばねの付勢力によって回動してフロントガラスを塞ぐ。このドリル２０３ａと前扉２０３ｂを元に戻すのは手で行う。また、大型車両２００の動作としては、ロックが外れて履帯付き車輪２０４ａ，２０４ａがばねの付勢力によって左右に飛び出し、これにより左右の側壁２０４，２０４が押されて開く。車輪２０４ａ，２０４ａを手で元に戻すと、左右の側壁２０４，２０４は自重で閉じる。なお、小型車両及び大型車両２００の動作は第２回転位置にある回転テーブル２０１に小型車両を載置した場合でもなされる。
【００３９】
以下、実施形態の要部を説明する。
図１９は回転テーブル下の構造を示している。
回転テーブル２０１下には回転テーブル２０１と一体的に回転する回転板２０５が配置されている。回転板２０５には、磁性体２０６が取り付けられた磁性体ホルダ２０７が上下動可能に設けられている。また、磁性体ホルダ２０７には、外壁に突出部２０７ａが形成されている。
【００４０】
図２０に示すように、磁性体ホルダ２０７の隣には、中間の軸２０８ａを中心に回動する係止レバー２０８が設けられている。係止レバー２０８の磁性体ホルダ２０７寄りのアーム（内側アーム）の下面は磁性体ホルダ２０７の突出部２０７ａの上に位置している。一方、係止レバー２０８の外側アームは図２１に示すように切欠き２０８ｂを有している。
【００４１】
係止レバー２０８の隣には係止レバー２０８の回動を規制する回動規制部材２０９が設けられている。回動規制部材２０９は、回転板２０５の半径方向に往復動作可能で押しばね２１０によって半径方向外方に向けて付勢された摺接子２１１と、摺接子２１１の脇に固定して設けられた楔状のストッパ２１２とを備えている。
【００４２】
摺接子２１１の先端は山形の摺接部２１１ａとなっている。この摺接部２１１ａは回転板２０５を取り囲む円筒状の固定壁２１３の内側面に当接している。回転板２０５の中心から固定壁２１３の壁面までの寸法は周方向で異なっている。すなわち、回転テーブル２０１の第１回転位置で摺接部２１１ａが当接する壁面部分２１３ａの寸法は比較的大きく、第２回転位置で摺接部２１１ａが当接する壁面部分２１３ｂの寸法は比較的小さくなっている。その結果、ダイヤル２０２を回すことにより回転板２０５上の摺接子２１１が壁面部分２１３ａに至ると、摺接子２１１が押しばね２１０の付勢力により半径方向外方に作し、摺接子２１１が壁面部分２１３ｂに至ると、摺接子２１１が押しばね２１０の付勢力に抗して半径方向内方に動作する。
【００４３】
ストッパ２１２は上面が半径方向外方に向けて下り勾配を有する傾斜面となっている。ストッパ２１２は、係止レバー２０８の外側アームの切欠き２０８ｂの下方に配置され、係止レバー２０８がシーソ動作するとき、外側アームがストッパ２１２の頂部に当接する。本実施形態では、摺接部２１１ａが壁面部分２１３ａに当接する際には、係止レバー２０８の切欠き２０８ｂの浅い部分Ａがストッパ２１２の頂部に当接し、摺接部２１１ａが壁面部分２１３ｂに当接する際には、係止レバー２０８の切欠き２０８ｂの深い部分Ｂがストッパ２１２の頂部に当接する(図２１)。その結果、回転テーブル２０１が第２回転位置にあるときには、第１回転位置にあるときよりも磁性体ホルダ２０７の上方への可動域が大きくなり、磁性体２０６が小型車両の磁性体に磁気着されるまで磁性体ホルダ２０７が上昇することができる。磁性体２０６が小型車両の磁性体に磁気着されると、磁性体ホルダ２０７の突起２０７ｂが小型車両の入力部品の突出部を押し上げ、小型車両の動作部品が動作する。
【００４４】
また、係止レバー２０８の隣には中間レバー２２０が設けられている。中間レバー２２０は、中間部で軸２０８ａと直交する方向に延びる軸２２０ａを中心に回動可能に構成されている。この作動レバー２２０の係止レバー２０８寄りのアーム(内側アーム)は係止レバー２０８の第２アームの下方に位置し、中間レバー２２０の外側アームは先端部が鉤形となっており、その先端部が固定壁２１３の壁面近くに位置している。この中間レバー２２０は、常態では、外側アームが回転板２０５に着地するようになっている。一方、中間レバー２２０の内側アームは、先端部が浮き上がるように傾斜している。この中間レバー２２０の外側アームは、係止レバー２０８の外側アームが下がったときに、中間レバー２２０の内側アームが下方に押され、上動する。つまり、中間レバー２２０の外側アームは、回転テーブル２０１が第２回転位置にあるときに上動する。
【００４５】
中間レバー２２０の外側アームが上動する位置には、大型車両２００の各動作機構に連結され当該各動作機構を作動させる可動部品２１０が設けられている。この可動部品２３０は、回転テーブル２０１の第２回転位置で、中間レバー２２０の外側アームの先端部によって上方に向けて操作される。
【００４６】
このように構成された第２実施形態によれば、所望の時期にダイヤル２０２を回して大小型車両及び大型車両２００を動作させることができる。
【００４７】
《発明の変形例》
以上、本発明の実施形態について説明したが、本発明は、かかる実施形態に限定される者でなく、その要旨を変更しない範囲で種々変形可能であることは言うまでもない。
例えば、上記実施形態では、第１動作体が小型車両１０、第２動作体が大型車両５０，２００としたが、その他の形象体であってもよい。
また、上記実施形態では、第１動作体と第２動作体とが変形するものであったが、第１動作体及び第２動作体の動作部品は変形に寄与せず、単に動くだけのものであってもよい。
さらに、上記実施形態において、第１状態及び第２状態との間で確実に動作部品が停止するように、動作部品の動作を規制するストッパを設けておくことが好ましい。
【符号の説明】
【００４８】
１０   小型車両
１２   第１反転部品
１３   第２反転部品
１４   起倒部品
１５   変向部品
２０   操作部品
５０   大型車両
５２   ボタン
５４   籠
５５   載置台
５５ａ 枠体
５６   起倒部品
５７   出没部品
５８   ボタン
５９   開閉部品
１００ 動作玩具
Ａ     反転機構
Ｂ     起倒機構
Ｃ     変向機構
Ｄ     入力機構
Ｅ     昇降機構
Ｆ     起倒機構
Ｇ     出没機構
Ｈ     開閉機構
Ｉ     傾動機構
Ｊ     入力機構
【図１】
2020137548.tif 000003
【図２】
2020137548.tif 000004
【図３】
2020137548.tif 000005
【図４】
2020137548.tif 000006
【図５】
2020137548.tif 000007
【図６】
2020137548.tif 000008
【図７】
2020137548.tif 000009
【図８】
2020137548.tif 000010
【図９】
2020137548.tif 000011
【図１０】
2020137548.tif 000012
【図１１】
2020137548.tif 000013
【図１２】
2020137548.tif 000014
【図１３】
2020137548.tif 000015
【図１４】
2020137548.tif 000016
【図１５】
2020137548.tif 000017
【図１６】
2020137548.tif 000018
【図１７】
2020137548.tif 000019
【図１８】
2020137548.tif 000020
【図１９】
2020137548.tif 000021
【図２０】
2020137548.tif 000022
【図２１】
2020137548.tif 000023
【手続補正書】
【提出日】平成31年3月26日(2019.3.26)
【手続補正１】
【補正対象書類名】明細書
【補正対象項目名】０００７
【補正方法】変更
【補正の内容】
【０００７】
第２の手段は、第１の手段であって、前記第１動作体は前記第２動作体の上に載置可能に構成され、前記第１動作体を前記第２動作体に載置したときに前記第２磁性体が引き上がり、前記外部操作部が前記第１入力部品を押圧して操作することを特徴とする。
【手続補正２】
【補正対象書類名】明細書
【補正対象項目名】０００８
【補正方法】変更
【補正の内容】
【０００８】
第３の手段は、第２の手段であって、前記第２動作体には前記第１動作体を載置する載置台が設けられ。前記載置台は傾動可能に構成され、前記載置台を傾動させることで前記第２磁性体と前記第１磁性体との磁気着を解除することを特徴とする。
【手続補正３】
【補正対象書類名】特許請求の範囲
【補正対象項目名】全文
【補正方法】変更
【補正の内容】
【特許請求の範囲】
【請求項１】
第１磁性体が固定して設けられた第１動作体と、前記第１磁性体との間に作用する磁力によって第１位置から第２位置まで動作する第２磁性体が設けられた第２動作体とを備え、
前記第１動作体には、第１動作部品を含む第１動作機構と、外部入力によって操作される第１入力部品を含み操作時に前記第１動作機構を介して前記第１動作部品を動作させる第１入力機構とが設けられ、
前記第２動作体には、第２動作部品を含む第２動作機構と、前記第２磁性体が取り付けられた第２入力部品を含み操作時に前記第２動作機構を介して前記第２動作部品を動作させる第２入力機構と、前記第２磁性体が前記第１磁性体に磁気着された際に前記第１入力部品を操作する外部操作部とが設けられている、
ことを特徴とする動作玩具。
【請求項２】
前記第１動作体は前記第２動作体の上に載置可能に構成され、前記第１動作体を前記第２動作体に載置したときに前記第２磁性体が引き上がり、前記外部操作部が前記第１入力部品を押圧して操作することを特徴とする請求項１に記載の動作玩具。
【請求項３】
前記第２動作体には前記第１動作体を載置する載置台が設けられ。前記載置台は傾動可能に構成され、前記載置台を傾動させることで前記第２磁性体と前記第１磁性体との磁気着を解除することを特徴とする請求項２に記載の動作玩具。
【請求項４】
前記１動作体は前記第１動作部品の動作によって可逆的に形態が変化するように構成されていることを特徴とする請求項１〜請求項３のいずれか１項に記載の動作玩具。
【請求項５】
前記２動作体は前記第２動作部品の動作によって可逆的に形態が変化するように構成されていることを特徴とする請求項１〜請求項４のいずれか１項に記載の動作玩具。
【手続補正書】
【提出日】令和1年7月11日(2019.7.11)
【手続補正１】
【補正対象書類名】明細書
【補正対象項目名】０００８
【補正方法】変更
【補正の内容】
【０００８】
第３の手段は、第２の手段であって、前記第２動作体には前記第１動作体を載置する載置台が設けられ、前記載置台は傾動可能に構成され、前記載置台を傾動させることで前記第２磁性体と前記第１磁性体との磁気着を解除することを特徴とする。
【手続補正２】
【補正対象書類名】明細書
【補正対象項目名】０００９
【補正方法】変更
【補正の内容】
【０００９】
第４の手段は、第１の手段〜第３の手段のいずれか一の手段であって、前記第１動作体は前記第１動作部品の動作によって可逆的に形態が変化するように構成されていることを特徴とする。
【手続補正３】
【補正対象書類名】明細書
【補正対象項目名】００１０
【補正方法】変更
【補正の内容】
【００１０】
第５の手段は、第１の手段〜第４の手段のいずれか一の手段であって、前記第２動作体は前記第２動作部品の動作によって可逆的に形態が変化するように構成されていることを特徴とする。
【手続補正４】
【補正対象書類名】特許請求の範囲
【補正対象項目名】全文
【補正方法】変更
【補正の内容】
【特許請求の範囲】
【請求項１】
第１磁性体が固定して設けられた第１動作体と、前記第１磁性体との間に作用する磁力によって第１位置から第２位置まで動作する第２磁性体が設けられた第２動作体とを備え、
前記第１動作体には、第１動作部品を含む第１動作機構と、外部入力によって操作される第１入力部品を含み操作時に前記第１動作機構を介して前記第１動作部品を動作させる第１入力機構とが設けられ、
前記第２動作体には、第２動作部品を含む第２動作機構と、前記第２磁性体が取り付けられた第２入力部品を含み操作時に前記第２動作機構を介して前記第２動作部品を動作させる第２入力機構と、前記第２磁性体が前記第１磁性体に磁気着された際に前記第１入力部品を操作する外部操作部とが設けられている、
ことを特徴とする動作玩具。
【請求項２】
前記第１動作体は前記第２動作体の上に載置可能に構成され、前記第１動作体を前記第２動作体に載置したときに前記第２磁性体が引き上がり、前記外部操作部が前記第１入力部品を押圧して操作することを特徴とする請求項１に記載の動作玩具。
【請求項３】
前記第２動作体には前記第１動作体を載置する載置台が設けられ、前記載置台は傾動可能に構成され、前記載置台を傾動させることで前記第２磁性体と前記第１磁性体との磁気着を解除することを特徴とする請求項２に記載の動作玩具。
【請求項４】
前記第１動作体は前記第１動作部品の動作によって可逆的に形態が変化するように構成されていることを特徴とする請求項１〜請求項３のいずれか１項に記載の動作玩具。
【請求項５】
前記第２動作体は前記第２動作部品の動作によって可逆的に形態が変化するように構成されていることを特徴とする請求項１〜請求項４のいずれか１項に記載の動作玩具。